(57)【要約】【課題】  トルクコンバータ製造工程においては、部材をすべて組み込むための製造工程が煩雑な工程となる。トルクコンバータの軽量化、部材種類（部品点数）の削減、部品コストの削減、製造工程の簡略化、生産コストの削減などを課題とする。【解決手段】  タービンハブ及びタービンランナの材質をアルミニウムとし連結一体型構造とする。ロックアップクラッチフェーシング部をロックアップピストンと分離し、ハブクラッチ円周外側に屈曲させて連結した構造で一体化させる。ドライブプレート、サイドプレートを削除しスプリングをロックアップピストンとタービンランナで保持する。【選択図】図１
2014231864.tif 000002
【特許請求の範囲】
【請求項１】
少なくとも、原動機によって回転駆動される前面カバー部、および前記前面カバー部とともに回転するポンプインペイラ部を有して内部にトルク伝達をするための流体を満たしたハウジングと、
外部装置を回転駆動するための出力軸と、
前記ポンプインペイラ部に配設されたインペイラブレードと、
前記インペイラブレードと対向して配設されて、前記流体によって前記ハウジングからのトルクが伝達されるタービンブレードと、
前記タービンブレードに伝達されたトルクを前記出力軸に伝達するためのタービンランナとタービンハブとを備えた流体伝動装置におけるロックアップ装置であって、
前記タービンハブと前記タービンランナとが略円環形状の一体構造であり前記出力軸に連結する構造であるＡプレートと、
前記前面フロントカバー部と略平行するように前記Ａプレートと前記前面カバー部との間に配設されて、前記Ａプレートに内周近傍領域で接続固定され、前記Ａプレートとの間にトーションスプリングを挟み位置固定する構造を有する略円環形状のＣプレートと、
前記Ａプレートと前記Ｃプレートとの間に位置し、前記Ｃプレートの外周外殻面に該Ｃプレートと相対回転可能となる状態でシーリング接続されて、前記Ｃプレートが前記軸方向の変位によって前記前面カバー部に向けて変位したときにロックアップクラッチフェーシング部を介して前記フロントカバー部の摺動面に摺接し、前記トーションスプリングの両端部に接触部を有するロックアップピストン機能と捩り振動を緩衝低減する機能とを備えた略円環形状であるＢプレートとを備えて構成され、
前記原動機による入力トルクを、タービン機能、ロックアップピストン機能、捩り振動低減機能を備えて前記出力側回転部材へとトルク伝達する一体型構造を特徴とするロックアップ装置。
【請求項２】
前記Ａプレートは、
前記Ｂプレートの前記前面カバー部の摺動面に摺接するための円環摺動板の近傍で、前記Ｂプレートを前記前面カバー部方向に矯正するための突起部を有することを特徴とする請求項１に記載のロックアップ装置。
【請求項３】
前記Ａプレートは、その材質をアルミニウムを主材質としたことを特徴とする請求項２に記載のロックアップ装置。
【請求項４】
前記Ａプレートは、トルク出力軸へのスプライン嵌合部分を分離させ該スプライン嵌合部分のみの強度を向上させることを特徴とする請求項３に記載のロックアップ装置。
【請求項５】
前記Ａプレートは、結合する前記タービンブレードを連結した一体構造にすることにより一体部品として製造することを特徴とする請求項３に記載のロックアップ装置。
【発明の詳細な説明】
【技術分野】
【０００１】
本発明は、例えばエンジンのクランクシャフトと変速機の入力軸との間に介在する、流体伝動装置（いわゆるトルクコンバータ）のロックアップ装置に関するものである。
【背景技術】
【０００２】
車両用自動変速機に組み込まれるトルクコンバータは、コンバータハウジングの前面部を構成するフロントカバーがクランクシャフトで回転駆動され、さらにコンバータハウジングのポンプインペイラ側の羽と、タービンランナ側の羽との間でトルクが伝達されて、タービンランナで駆動される出力軸から、変速機の入力軸変速機の入力軸へとトルクが伝達されるようになっている。さらにトルクコンバータは、燃費向上を図るためにエンジンのクランクシャフトのトルクを変速機の入力軸に直接伝達するためのロックアップ装置を有している。
【０００３】
ロックアップ装置では、コンバータハウジング（典型的にはフロントカバー）と出力軸とが、流体圧力（油圧）で駆動されるクラッチで接続されることによって、エンジンのクランクシャフトのトルクが変速機の入力軸に直接伝達される。こうしたロックアップ装置は、少なくともクラッチと、クラッチと出力軸との間に介在する捩り振動低減機構（ダンパ）とを備えて、捩り振動を吸収し減衰させている。
【０００４】
例えば、特許文献１に開示されたロックアップクラッチ（ロックアップ装置）は、少なくとも、（１）クラッチフェーシングを介してフロントカバーに摺接するロックアップピストンと、（２）ロックアップピストンにリベット留めされた入力側回転部材と、（３）トランスミッションの入力軸に連結される出力軸へ動力を伝達するためのタービンハブにリベット留めされた出力側回転部材と、（４）入力側回転部材と出力側回転部材との間に介在するダンパ機構とを有している。なおタービンランナは出力側回転部材とともにタービンハブにリベット留めされている。
【０００５】
こうしたロックアップクラッチは、ロックアップするときには、油圧によってロックアップピストンをフロントカバー側に移動させて、ロックアップピストンをフロントカバーの摺動部に摺接させ、ロックアップを解除するときには、油圧によってロックアップピストンをフロントカバーから遠ざけるように移動させて、ロックアップピストンとフロントカバーの摺動部とを離間させる。
【０００６】
ロックアップの解除時は、トルクコンバータは、インペイラからタービンランナ（タービンランナはタービンハブにリベット留めされている。）へとトルクを伝達する。また、ロックアップ装置はロックアップピストンに隣接して、トーションスプリングを介したサイドプレート（出力側回転部材）とドライブプレート（入力側回転部材）によるダンパ機能を有し、それらがトランスミッションの入力軸に連結される出力軸へ動力を伝達するためのタービンハブにリベット留めされることによりダンパ機構を包含した態様で構成されている。
【先行技術文献】
【特許文献】
【０００７】
【特許文献１】特開２０１２−２１１７０７号公報
【発明の概要】
【発明が解決しようとする課題】
【０００８】
トルクコンバータ内には流体伝動装置として機能するポンプインペイラ、タービンランナ、ブレード（羽根）、ステータなどの構成要素があり、かつロックアップ装置として機能するロックアップピストン、タービンハブなどの構成要素があり、また捩り振動低減装置として機能するドライブプレート、サイドプレート、トーションスプリング、ハブクラッチなどの構成要素があり、これらの総合的な構成においてトルクコンバータ全体の機能を果たし得ている。
【０００９】
しかしこれらの個々の部材は高剛性を必要とする略円環形状を有する鉄製部材であり重量がある。また、タービンハブやロックアップピストンのように機能上一定の重さを必要とする構成要素もある。それぞれの構成要素は上記三種類の機能を発揮するためにはどれも必要なものである。また、トルクコンバータ製造工程においても、これらの構成要素をすべて組み込むための製造工程が必要であり煩雑な工程となる。
【００１０】
以上の理由などによりトルクコンバータの軽量化、部材種類（部品点数）の削減、部品コストの削減、製造工程の簡略化、生産コストの削減などの更なる改善が望まれている。本発明はこのような課題に着目してなされたものであり、軽量化され小型化されたトルクコンバータを提供することを目的とするものである。
【課題を解決するための手段】
【００１１】
上記課題を解決するため本発明にかかるロックアップ装置は、次の構成を採用する。本発明は、トランスミッションへの出力軸にトルクを伝達するタービンランナ９（符号は本願の図２に示す。）とハブクラッチ６とタービンハブ７とロックアップピストン３とを連結一体型構造とし、ロックアップピストン３のロックアップクラッチフェーシング部１４とハブクラッチ６とを連結一体型構造とすることにより要素部材数を削減し軽量化と小型化を成し、かつトルク伝達機能や捩り振動低減効果を失わずにトルクコンバータ機能を維持するロックアップ装置である。（図１参照）
【００１２】
また本発明は、タービンハブ７、タービンランナ９の主材質をアルミニウムとし、かつ連結一体型構造にすることによって軽量化したロックアップ装置としても実現されるものである。
【００１３】
本発明は、ロックアップピストン３のロックアップクラッチフェーシング部１４とハブクラッチ６とが連結一体型構造とされた上で、ハブクラッチ近傍部はトーションスプリング８の受け部が従来と同じように設けられることにより捩り振動低減機能を有するダンパとして機能し、前記一体型構造の外周部の一体化されたロックアップクラッチフェーシング部はフロントカバー１の摺動部に面しロックアップの際には接触して摺動する構造にする。
【００１４】
また、ロックアップクラッチフェーシング部１４はフロントカバーとのロックアップ接触の際に均一な面接触を必要とするため、ロックアップクラッチフェーシング部を背後から抑えて矯正するための突起部構造をタービンランナ部に設ける。
【発明の効果】
【００１５】
上記構成を有する本発明にかかるロックアップ装置によれば、ハブクラッチとロックアップクラッチフェーシング部とが一体化したことにより、従来と比較してドライブプレートなどの構成要素数が減少するため軽量化が図られる。
【００１６】
一体構造化されたタービンランナとロックアップピストンによってトーションスプリングを挟み位置固定する構造にすることによりドライブプレートとサイドプレートが不要になり構成要素数が削減される。次に、タービンランナやタービンハブの材質を鉄材からアルミニウムに変更すれば、より軽量化が図られる。
【００１７】
一体化構造のタービンランナ部に設けられたロックアップクラッチフェーシング部を背後から抑えて矯正するための突起部構造は、アルミニウム材質である場合、ロックアップクラッチフェーシング部の鉄材質との摩擦において摩擦熱を都合よく放熱する効果を発揮する。ロックアップクラッチでの摩擦熱放熱にはアルミニウムが望ましいため、この選択は軽量化に加えた新たな効果を奏する。
【００１８】
本発明は、捩り振動低減装置（ダンパ）製造工程におけるコスト低減効果が大きい。従来はサイドプレートとドライブプレート嵌合のために多数のリベット固定方法を用いていたが、リベット数削減による部品削除、製造工程におけるリベット嵌合工程の削減など、製造コスト削減の大きな効果が生ずる。
【００１９】
トルクコンバータ全製造工程においては、組み立て部品点数の削減、製造工程数の削減による部材コスト削減と製造コスト削減が図られる。また、トルクコンバータ全体として軽量化が図られるため、車体重量の軽量化と燃費向上につながる。その他、トルクコンバータ構造全体としての薄型化、小型化が可能となるため車体エンジン動力機構全体の小型化に貢献できる。
【図面の簡単な説明】
【００２０】
【図１】本発明にかかるロックアップ装置の一実施形態における断面概略構造を示す図である。
【図２】ロックアップ装置の従来の構造における断面概略構造を示す図である。
【発明を実施するための形態】
【００２１】
以下、図面を参照して本発明を実施するための形態について説明する。図１は、本発明の一実施形態に係るトルクコンバータのロックアップ装置（捩り振動低減装置ダンパを含む。）を示す概略的断面図である。同図において、フロントカバー１の右方向がエンジン側であり、ポンプインペイラ２の左方向がトランスミッション側の出力方向である。動力伝達軸の図は省略し、トルクコンバータ全体の上半分断面図を示している。図２は、上記同様の従来のトルクコンバータのロックアップ装置を示す図である。
【００２２】
ここで、まず説明の都合上、図２を用いてトルクコンバータのロックアップクラッチの作用を説明する。エンジンの回転がクランクシャフトを介して外周部のカバーボス１５へ伝達され、カバーボス１５からフロントカバー１へ伝達される。そして、フロントカバー１と一体のポンプインペイラ２が回転し、ポンプインペイラ２の回転が流体継手の流体を介してタービンブレード１０へ伝わる。タービンランナ９の回転がタービンハブ７を介してトランスミッションへの出力軸へ伝達される。
【００２３】
車両の走行速度やエンジンの回転数が所定の値に達すると、油圧によりロックアップピストン３が右方向に移動し、ロックアップクラッチフェーシング部１４（表面には摩擦材１８が貼付されている。）がフロントカバー１の摺動部へ押圧される。すると、フロントカバー１の回転がロックアップピストン３へ伝わり、ロックアップピストン３の回転がダンパ機構を介してタービンハブ７へ伝わり、タービンハブ７の回転がトランスミッションへの出力軸へ伝わる。つまり、流体継手を介することなく直接にトランスミッションの出力軸へ伝わる。
【００２４】
ダンパ機構では、動力伝達軸に対する捩り振動低減が目的であるために、ハブクラッチ６はサイドプレート５及びドライブプレート４に対して相対回転を可能にさせている。また、サイドプレート５及びドライブプレート４の間に構成されハブクラッチ６の受け部を緩衝するトーションスプリング８の収容部は、サイドプレート５及びドライブプレート４の切り欠かれた収容部によってトーションスプリング８が外周固定される構造を形成している。
【００２５】
ドライブプレートとサイドプレートとは一体的にリベット結合されていて相対回転不能となっている。ドライブプレート４の回転時には、トーションスプリング８が圧縮変形されながら、エンジン側からドライブプレート４に入力される回転トルクをハブクラッチ６へと伝達し、そのハブクラッチ６からトランスミッション側へと伝達することになる。さらに、入力側・出力側回転部材同士が正転方向に相対回転した場合だけでなく、入力側・出力側回転部材同士が逆転方向に相対回転した場合にも、左右対称構造を有することにより共に同じ回転トルク特性を実現することができる。
【００２６】
このように従来のトルクコンバータの動力トルク出力側機構である流体伝動装置と捩り振動低減装置及びロックアップ機構は、構成要素として図２に示すように、油圧動力伝達を行うタービンランナ９と、ロックアップピストン３がフロントカバー方向へ動くことによりロックアップクラッチフェーシング部１４がフロントカバーの摺動部に摺接させられるロックアップ機構と、捩り振動を低減させるトーションスプリング８とその保持のためのドライブプレート４、サイドプレート５を有するダンパ機構と、そしてトルクを出力としてトランスミッション側に出力するハブクラッチ６及びタービンハブ７とを備えて構成されていた。
【００２７】
これらの上記各機能を維持したまま、各構成要素の共通化及び一体化と軽量化を図る目的のために創出した新たなる構成が本発明の技術的特定事項の主要部分である。図１を一実施形態として以下に説明する。
【００２８】
まずタービンハブ７及びタービンランナ９の材質をアルミニウムに変更し、連結一体型構造とする。このタービンハブ７及びタービンランナ一９連結一体型構造をＡプレート１９とする。
【００２９】
図１においては、出力伝達軸とスプライン結合する部分は噛み合わせ強度を確保するために便宜的にＡプレートから除いて示しているが、このスプライン結合部を含めた従来のタービンハブ７全体をアルミニウム化する構造であってもよい。もちろんタービンブレード１０をもアルミニウム化し同時成形できる構造にしてもよい。
【００３０】
従来の鉄材質強度と同等に剛性を維持するために、この連結一体型構造では軸方向に対して若干の肉厚化を必要とする。Ａプレートの径軸側の肉厚を増加させているのは、強度及び重量のある他部材とのリベット固定での強度確保を考慮している。
【００３１】
Ａプレートの具体的製造方法としてはアルミ鋳物（アルミダイカスト）として成形加工するのが望ましい。アルミダイカスト製造は成形型への液状アルミニウムの流し込みによる成形であるため、略円盤状鉄材の従来加工に比較して、製造方法が簡易でありかつＡプレートのとり得る形状の自由度が増す。
【００３２】
また捩り振動低減装置であるトーションスプリング８の位置を固定するためのトーションスプリング収容部構造をＡプレートの構造に設けることにより従来のサイドプレート５によるトーションスプリング固定機能を兼ね備えることができる。サイドプレート５は不要となり、アルミニウムによる軽量化と部品点数削減、組み立て工程短縮、サイドプレートとドライブプレートとの固定用リベット削減に効果が生ずる。
【００３３】
次に、ロックアップピストン３の円周外側に有するロックアップ機能部であるロックアップクラッチフェーシング部１４をロックアップピストン３とは分離し、従来のハブクラッチ６の円周外側に屈曲させて連結した一体型構造にする。ロックアップクラッチフェーシング部１４は、ロックアップの際にフロントカバー１の摺動部と摺接しエンジン側のトルク出力を直接伝達する機能を有する。
【００３４】
良好なロックアップを実現するために、ロックアップクラッチフェーシング部１４のフロントカバー摺動部にかかる油圧の面圧分布をより均等にすることが望まれ、また耐久性の向上のために、摩擦熱によるロックアップクラッチフェーシング部およびその隣接部の熱容量を増大化して、当該領域の温度上昇を低減することが望まれる。よって鉄材料を用い、ハブクラッチ６と連結させることにより、捩り振動低減効果を維持しつつ同時にトランスミッション側に直接トルク出力を伝達し得る一体構造にすることはトルク伝達効率からも好ましい。
【００３５】
ロックアップピストン３から分離したロックアップクラッチフェーシング部１４と一体化したハブクラッチ６の円周中央部は、トーションスプリング８の緩衝を受けて従来同様に捩り振動を低減するダンパとして機能し、ロックアップ機能とダンパ機能とを同時に得たトルク出力をスプライン結合するトランスミッション側への出力伝達軸に伝達する構造とする。
【００３６】
このロックアップクラッチフェーシング部１４とハブクラッチ６との連結一体型構造をＢプレート２０とする。
【００３７】
そして、ロックアップクラッチフェーシング部を分離したロックアップピストン３の内周部は、トーションスプリング８固定のための収容部を有する略円盤状構造とし、前記Ａプレートと軸心近傍でリベット固定される。この一体型構造をＣプレート２１とする。前記Ｂプレートとトーションスプリング８とをＡプレート１９及びＣプレート２１で挟み込む構造となる。
【００３８】
Ａプレートのフロントカバー側にも同様にトーションスプリングを固定する収容部を設けることにより、従来のダンパ機能を有していた構造であるドライブプレートとサイドプレートとをＡプレートとＣプレートとが代替することになり、従来のドライブプレート及びサイドプレートが不要となる。ドライブプレート、サイドプレートの部品削除、軽量化、組み立て工程削減の効果が生ずる。
【００３９】
Ｃプレート２１は、Ｂプレート２０のロックアップクラッチフェーシング部の内周屈曲部においてＯ−リングシーリング２２で連結される。ＢプレートはＡプレート及びＣプレートに対して相対回転が可能である。よってロックアップによって生じた急回転トルクによる捩り振動は、従来と同様にトーションスプリング８で緩衝低減された状態でＣプレート２１につながりＡプレート１９を経てトランスミッション側へトルク出力される。
【００４０】
次に、Ａプレート１９には、Ｂプレート２０のロックアップクラッチフェーシング部をフロントカバー方向に抑えるための矯正用突起部２３を有する。この矯正用突起部２３をロックアップクラッチフェーシング部の裏側に設けることにより、ロックアップの際のフロントカバー摺動部とＢプレート２０のロックアップクラッチフェーシング部の接触面圧分布が径方向に対して略均一となり、スリップの際のフェーシング焼けと完全ロックアップの際の剥離強度の両立範囲が広く確保可能となる。
【００４１】
Ａプレート１９の矯正用突起部２３は、鉄材質であるＢプレート２０と材質の違うアルミニウムであることにより、Ｂプレートとの相対回転による摩擦においてヒステリシスの低減や放熱効果に有効であり、この部分でＡプレート１９の材質をアルミニウムに変更したことによる特別な効果が得られる。また矯正用突起部２３でのアルミニウムの摩擦減衰を低減させるためのベアリング挿入などの対応も可能である。
【００４２】
ここで、上記の実施の形態は一実施例にすぎず、本発明の主旨を逸脱しない範囲内で種々の変形あるいは改良が可能であることは言うまでもない。また、本発明が二次的製造物に組み込まれた場合でも、本発明を用いて生産される装置、方法、システムが、その二次的製造物に登載されて商品化された場合であっても、本発明の価値は何ら減ずるものではない。
【産業上の利用可能性】
【００４３】
本発明に係るロックアップ装置によれば、ロックアップ機能および捩り振動低減効果、高能率でのトルク伝達機能等を従来通り長期にわたり維持し、信頼性品質を確保しつつ自動車燃費を向上することができるため、自動車産業等で大いなる利用可能性を有する。また、本発明にかかるロックアップ装置のもたらすトルクコンバータの軽量化、コスト低減化、薄型化の技術的かつ経済的意義は大きく、自動車全体としての軽量化による燃費の向上にも寄与するため、産業上利用価値は極めて大きい。
【符号の説明】
【００４４】
１・・・フロントカバー
２・・・ポンプインペイラ
３・・・ロックアップピストン
４・・・ドライブプレート
５・・・サイドプレート
６・・・ハブクラッチ
７・・・タービンハブ
８・・・トーションスプリング
９・・・タービンランナ
１０・・タービンブレード（タービン羽根）
１１・・インペイラブレード（ポンプ羽根）
１２・・ステータ
１４・・ロックアップクラッチフェーシング部
１５・・カバーボス
１６・・リベット
１７・・スプライン嵌合
１８・・摩擦材
１９・・Ａプレート
２０・・Ｂプレート
２１・・Ｃプレート
２２・・Ｏ−リングシーリング
２３・・矯正用突起部
【図１】
2014231864.tif 000003
【図２】
2014231864.tif 000004